(57)【要約】【課題】所定の入力操作が無効である場合に、ユーザに対して適切な通知がなされる電子機器およびリモートコントロール装置を提供する。【解決手段】音楽記録再生機能付きカメラ１は、音楽記録再生機能を実行するオーディオモードと撮影機能を実行する撮影モードを備える。また、カメラ１に対しては、リモートコントロール装置７３が設けられ、リモートコントロール装置７３の操作は、カメラモード時では無効とされる。カメラモード時に、リモートコントロール装置７３の操作がされた場合は、例えば、リモートコントロール装置７３に備えられるＬＣＤ１４２にカメラと表示し、ユーザに対し、カメラモードであることを通知する。ユーザは、カメラモードであることを認識でき、機器が故障していると誤認するおそれがなくなる。【選択図】  図１５
2006135627.tif 000002
【特許請求の範囲】
【請求項１】
撮像機能を実行する第１のモードと、オーディオ記録および／または再生機能を実行する第２のモードを備えた電子機器において、
第１および第２のモードのいずれか一方のモードでのみ操作する入力装置が備えられ、
上記入力装置が、他方のモードの実行時に操作された場合は、上記入力装置の操作が無効であることを通知する通知手段を備えることを特徴とする電子機器。
【請求項２】
撮像機能を実行する第１のモードと、オーディオ記録および／または再生機能を実行する第２のモードを備えた電子機器において、
第１および第２のモードのいずれか一方のモードでのみ操作する入力装置が備えられ、
上記入力装置が、他方のモードの実行時に操作された場合は、上記他方のモード時に上記入力装置が操作されたことを通知する通知手段を備えることを特徴とする電子機器。
【請求項３】
請求項１または請求項２に記載の電子機器において、
上記通知手段は、表示による通知、振動による通知並びに音による通知の少なくとも一つである電子機器。
【請求項４】
撮像機能を実行する第１のモードと、オーディオ記録および／または再生機能を実行する第２のモードを備えた電子機器に対するリモートコントロール装置において、
リモートコントロール装置は第１のモード時の操作が無効とされ、
上記第１のモード時に、上記リモートコントロール装置が操作されたときは、上記操作が無効であることを通知する通知手段を備えるリモートコントロール装置。
【請求項５】
撮像機能を実行する第１のモードと、オーディオ記録および／または再生機能を実行する第２のモードを備えた電子機器に対するリモートコントロール装置において、
リモートコントロール装置は第１のモード時の操作が無効とされ、
上記第１のモード時に、上記リモートコントロール装置が操作されたときは、上記操作が上記第１のモード時に操作されたことを通知する通知手段を備えるリモートコントロール装置。
【請求項６】
請求項４または請求項５に記載のリモートコントロール装置において、
上記通知手段は、表示による通知、振動による通知並びに音による通知の少なくとも一つであるリモートコントロール装置。
【発明の詳細な説明】
【技術分野】
【０００１】
この発明は、複数の機能を備えた電子機器および電子機器に対するリモートコントロール装置に関する。
【背景技術】
【０００２】
近年、音楽再生機能付きカメラが登場し、ユーザはカメラによる撮影に加え、音楽再生機として所望の音楽を視聴することが行われつつある。下記特許文献１には、カメラ本体に設けられた表示部に、被写体像と音楽情報を表示するようにした音楽再生機能付きカメラに関する発明が記載されている。
【０００３】
【特許文献１】特開２００４−２０８０１３号公報
【発明の開示】
【発明が解決しようとする課題】
【０００４】
ところで、音楽再生機能と撮影機能のように複数の機能が備えられる電子機器には、特定の機能を実行するための入力装置が設けられることがある。例えば、撮影機能を実行するモード時に、音楽再生機能を実行するための入力装置を操作してもユーザの意図する処理はなされない。このような場合に、ユーザに対して適切な通知がなされないと、ユーザは使用する電子機器が故障したと誤認してしまうおそれがある。
【０００５】
また、近年普及している光ディスク、ＨＤＤ（Hard Disk Drive）などの記録媒体を利用した携帯型音楽プレーヤーでは、ユーザはプレーヤー本体と接続されたリモートコントロール装置を操作することで所望の機能を実行することが行われている。したがって、複数の機能を備える電子機器においても、ユーザが手元で簡単に操作できるリモートコントロール装置を設けることが望まれる。
【０００６】
ディジタルカメラにおける撮影モードでは、構図を決めるために被写体像を見ることが必要なため、リモートコントロール装置は通常使用されないようにされている。
【０００７】
したがって、音楽再生機能を実行しようとユーザがリモートコントロール装置を操作しても、電子機器が撮影モードであれば音楽再生は行われない。このため、ユーザは電子機器本体もしくはリモートコントロール装置が故障したと誤認してしまうおそれがある。
【０００８】
したがって、この発明の目的は、特定の機能を実行する入力装置の操作が無効である場合に、ユーザに対して適切な通知を行う通知手段を備える電子機器およびリモートコントロール装置を提供することにある。
【課題を解決するための手段】
【０００９】
上述した課題を解決するために、請求項１に係る発明は、撮像機能を実行する第１のモードと、オーディオ記録および／または再生機能を実行する第２のモードを備えた電子機器において、第１および第２のモードのいずれか一方のモードでのみ使用する入力装置が備えられ、入力装置が、他方のモードの実行時に使用された場合は、入力装置の使用が無効であることを通知する通知手段を備えることを特徴とする電子機器である。
【００１０】
請求項２に係る発明は、撮像機能を実行する第１のモードと、オーディオ記録および／または再生機能を実行する第２のモードを備えた電子機器において、第１および第２のモードのいずれか一方のモードでのみ操作する入力装置が備えられ、入力装置が、他方のモードの実行時に操作された場合は、他方のモード時に入力装置が操作されたことを通知する通知手段を備えることを特徴とする電子機器である。
【００１１】
請求項４に係る発明は、撮像機能を実行する第１のモードと、オーディオ記録および／または再生機能を実行する第２のモードを備えた電子機器に対するリモートコントロール装置において、リモートコントロール装置は第１のモード時の使用が無効とされ、第１のモード時に、リモートコントロール装置が使用されたときは、使用が無効であることを通知する通知手段を備えるリモートコントロール装置である。
【００１２】
請求項５に係る発明は、撮像機能を実行する第１のモードと、オーディオ記録および／または再生機能を実行する第２のモードを備えた電子機器に対するリモートコントロール装置において、リモートコントロール装置は第１のモード時の操作が無効とされ、第１のモード時に、リモートコントロール装置が操作されたときは、操作が第１のモード時に操作されたことを通知する通知手段を備えるリモートコントロール装置である。
【発明の効果】
【００１３】
この発明によれば、複数の機能を有する電子機器において、特定の機能を実行する入力装置の操作が無効である場合に、ユーザに対して適切な通知を行うことができる。したがって、通知を受けたユーザはモードを切り替えるなどの処理を行うなどして、入力装置の操作を有効とすることができ、所望の機能を実行することができる。また、電子機器やリモートコントロール装置が故障したと誤認するおそれもなくなる。
【発明を実施するための最良の形態】
【００１４】
以下、図面を参照しながらこの発明の一実施形態について説明する。以下に示す一実施形態では、撮像機能とオーディオ記録再生機能を備えた電子機器の一例として、オーディオ記録再生機能付きカメラ１を用いて説明する。カメラ１において撮像機能を実行する第１のモードをカメラモードと称し、オーディオの記録または再生の少なくとも一方の機能を実行する第２のモードをオーディオモードと称する。また、カメラモードは実際に撮影を行う撮影モードと撮影した画像などを再生する閲覧モードからなる。
【００１５】
この一実施形態におけるカメラ１では、画像データまたはオーディオデータの記録媒体として光磁気ディスクが用いられる。この発明の一実施形態に用いられる光磁気ディスクは、フォームファクタのような、ディスクの物理的属性は、いわゆるＭＤ(Mini-Disc) システムによって使用されるディスクと実質的に同じである。しかし、ディスク上に記録されたデータと、そのデータがどのようにディスク上に配置されているかについては、従来のＭＤと異なる。
【００１６】
より具体的には、この一実施形態では、ファイル管理システムとしてＦＡＴ(File Allocation Table) システムを使用している。これによって、当該装置は、現行のパーソナルコンピュータに対して互換性を保証することができる。ここでは、「ＦＡＴ」又は「ＦＡＴシステム」という用語は、種々のＰＣベースのファイルシステムを指すのに総称的に用いられる。
【００１７】
また、一実施形態では、現行のＭＤシステムに対して、エラー訂正方式や変調方式を改善することにより、データの記録容量の増大を図るとともに、データの信頼性を高めるようにしている。更に、コンテンツデータを暗号化するとともに、不正コピーを防止して、コンテンツデータの著作権の保護が図れるようにしている。
【００１８】
記録再生のフォーマットとしては、現行のＭＤシステムで用いられているディスクと全く同様のディスク( すなわち、物理媒体)を用いるようにした次世代ＭＤ１の仕様と、現行のＭＤシステムで用いられているディスクとフォームファクタ及び外形は同様であるが、ＤＷＤＤ(Domain Wall Displacement Detection)技術を使うことにより、線記録方向の記録密度を上げて、記録容量をより増大した次世代ＭＤ２の仕様とがある。
【００１９】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００２０】
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
【００２１】
トラックピッチについては、次世代ＭＤ２では、１．２５μｍとされる。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００２２】
次世代ＭＤ２の仕様のディスクでは、ＤＷＤＤ技術を使うことにより、線密度方向の記録容量を向上するようにしている。ＤＷＤＤ技術は、所定の温度になると、切断層が磁気的にニュートラルな状態になり、再生層に転写されていた磁壁が移動することで、微少なマークがビームスポットの中で大きく見えるようになることを利用したものである。
【００２３】
すなわち、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２４】
また、次世代ＭＤ２の仕様のディスクでは、デトラックマージン、ランドからのクロストーク、ウォブル信号のクロストーク、フォーカスの漏れを改善するために、グルーブを従来のＭＤディスクより深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２５】
また、光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００２６】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００２７】
エラー訂正符号化方式としては、現行のＭＤシステムでは、ＡＣＩＲＣ(Advanced Cross Interleave Reed-Solomon Code) による畳み込み符号が用いられていたが、次世代ＭＤ１および次世代ＭＤ２の仕様では、ＲＳ−ＬＤＣ（Reed Solomon−Long Distance Code）とＢＩＳ（Burst Indicator Subcode ）とを組み合わせたブロック完結型の符号が用いられている。
【００２８】
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２９】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。現行のＭＤシステムと、次世代ＭＤ１および次世代ＭＤ２の仕様では、線密度が異なると共に、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムと同じ物理構造のディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００３０】
変調方式については、現行のＭＤシステムでは、ＥＦＭ(8 to 14 Modulation)が用いられているのに対して、次世代ＭＤ１および次世代ＭＤ２の仕様では、ＲＬＬ（１，７）ＰＰ（ＲＬＬ;Run Length Limited , ＰＰ;Parity Preserve/Prohibit rmtr(repeated minimum transition runlength)）（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００３１】
また、ディスク駆動方式はＣＬＶ（Constant Linear Verocity）またはＺＣＡＶ（Zone Constant Angular Verocity）で、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００３２】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３３】
ＤＷＤＤ技術を利用した次世代ＭＤ２の仕様のディスクでは、更に線密度方向の高密度化が図られ、データ総記録容量は、約１Ｇバイトになる。
【００３４】
データレートは標準線速度にて、次世代ＭＤ１では４．４Ｍビット／秒であり、次世代ＭＤ２では、９．８Ｍビット／秒である。
【００３５】
上述したＭＤのうち現行ＭＤは、オーディオデータの記録再生のみが可能とされ、次世代ＭＤ１および次世代ＭＤ２は、オーディオデータの記録再生および画像データの記録再生が可能とされている。また、次世代ＭＤ１および次世代ＭＤ２に、オーディオデータと画像データを混在させることもできる。
【００３６】
図１は、この発明の一実施形態におけるオーディオ記録再生機能付きカメラ１の前面を示す。前面には、撮影レンズ１１と水平方向にスライドさせることが可能なレンズカバー１２が設けられ、また、ストロボ発光部１３が設けられる。
【００３７】
図２は、カメラ１の背面、上面、左側面、右側面および底面を示す。カメラ１の背面には、例えば各種の情報の表示画面であるＬＣＤ（Liquid Crystal Display）１６が設けられる。
【００３８】
カメラ１の背面に設けられる入力装置として、略円形状の集中コントローラ１７、メニューボタン１９、ストップ／キャンセルボタン１８、スライドショーボタン２０、ディスプレイボタン２１が設けられる。
【００３９】
また、カメラ１の背面には、入力装置のほかに、充電中であることをユーザに示すＬＥＤ(Light emitting Diode)などにより構成されるＣＨＧランプ２２、パーソナルコンピュータ（ＰＣ）と通信中であることを示すＯＰＴ／ＰＣランプ２３が設けられる。
【００４０】
カメラ１の上面には、シャッターボタン１４が設けられる。シャッターボタン１４は２段階に押下可能とされ、いわゆる「半押し」の状態でオートフォーカス機能および自動露出制御が実行され、「全押し」の状態で撮影が実行される。また、カメラモードのオンオフを切り替えるためのカメラボタン１５が設けられる。
【００４１】
カメラ１の左側面には、カメラ１と後述するリモートコントロール装置を接続するリモコンジャック２４が設けられる。また、右側面には、音量調節用ボタン２５、入力装置の操作を無効にするスライド式のホールドボタン２７およびバッテリー収納部２８が設けられる。ダウンロードボタン２６は、例えばカメラ１がパーソナルコンピュータと接続された場合などに、パーソナルコンピュータから画像データ等のダウンロードを実行するためのボタンである。
【００４２】
カメラ１の底面には、例えばパーソナルコンピュータとＵＳＢ（Universal Serial Bus）接続するためのＵＳＢ端子２９が設けられ、また、カメラ１に光磁気ディスクを収納するためのオープンボタン３０が設けられる。光磁気ディスクはカメラ１の筐体の中のディスク収納部に収納される。
【００４３】
図３は、上述した集中コントローラ１７の一例を示す。集中コントローラ１７は、略円形状とされ、中央に決定ボタン３３が設けられる。決定ボタン３３の周囲には上下左右方向のキーが設けられ、各キーは押下可能なボタンとされている。それぞれの方向におけるボタンを上キー３４、下キー３５、左キー３６、右キー３７と称する。また、集中コントローラの周囲には、回転自在とされたジョグダイヤル３８が設けられる。
【００４４】
図４は、集中コントローラ１７の各キーに割り当てられる代表的な機能の一例を、各モード毎に示した表である。図４を参照して、各モード時における各キーの具体的な使用例を説明する。
【００４５】
はじめにオーディオモード時の使用例について説明する。オーディオモード時に決定ボタン３３が押されると、オーディオ再生が停止している場合は再生を開始する。
【００４６】
右キー３７の操作では主に早送り機能が実行される。オーディオ再生中に、右キー３７を短く押されると再生中のトラックの次のトラックの先頭まで進み、再生が開始される。オーディオ停止中に、右キー３７が短く押されると停止しているトラックの次のトラックの先頭まで進んで停止される。
【００４７】
オーディオ再生中に、右キー３７が長く押されると再生中の位置から早送り再生が開始される。また、オーディオ一時停止中に右キー３７が長く押されると、停止している位置からの早送りが開始される。
【００４８】
左キー３６の操作では主に早戻し機能が実行される。オーディオ再生中に、左キー３６を短く押されると再生中のトラックの途中を再生中であった場合はトラックの先頭に戻り再生が開始され、トラックの先頭を再生中であった場合は１つ前のトラックの先頭に戻り再生が開始される。オーディオ停止中に、左キー３６が短く押されると停止しているトラックの前のトラックの先頭まで戻る。
【００４９】
オーディオ再生中に、左キー３６が長く押されると再生中の位置から早戻り再生が開始される。また、オーディオ一時停止中に左キー３６が長く押されると、停止している位置からの早戻りが開始される。
【００５０】
オーディオ再生中に、ストップ／キャンセルボタン１８が押されると、オーディオの再生が停止される。停止後、一定の時間新たな入力が無い場合は、電源が自動的に遮断されスリープ状態となる。
【００５１】
オーディオ再生中に、決定ボタン３３が押されると、再生が停止され、一時停止の状態となる。
【００５２】
次にカメラモード時の使用例について説明する。カメラモード時にカメラボタン１５が押されると、カメラモードが終了し、電源が遮断しスリープ状態となる。
【００５３】
左キー３６は、閲覧モード時に、選択されている画像の前の画像を表示する。また、右キー３７は選択されている画像の後の画像を表示する。
【００５４】
また、カメラ閲覧モード時に、決定ボタン３３が押されるとＬＣＤ１６に表示される画像の全画面表示と、サムネイル画像の表示の切替が行われる。
【００５５】
図５は、この一実施形態におけるモードの切替を示す。カメラモードの起動は、カメラボタン１５をオンオフすることで行われる。また、オーディオモード時にレンズカバー１２が開けられると自動的にカメラモードに切り替わる。
【００５６】
また、カメラモードの状態で、レンズカバー１２を開閉することで撮影モードと閲覧モードが切り替わる。レンズカバー１２が開いた状態では撮影モードとなり、閉じた状態では閲覧モードとなる。
【００５７】
オーディオモードでオーディオ再生中以外のときや、カメラモードの閲覧モード時にカメラ１とパーソナルコンピュータをＵＳＢ接続することで、カメラ１とパーソナルコンピュータ間でデータの送受を行うことが可能となる。
【００５８】
なお、上述したようにオーディオモード時に、一定時間、入力装置の入力が無い場合は、自動的に電源が遮断し、スリープ状態となる。また、ホールドボタン２７がオンされていないスリープ状態で、何らかの入力がなされると、自動的に電源が供給される。したがって電源オン／オフボタンを別個に設ける必要はない。
【００５９】
図６は、この発明の一実施形態におけるカメラ１の信号処理系の構成を示す。カメラ１は、主としてカメラ部、オーディオ部、制御部、操作部からなる。
【００６０】
はじめにカメラ部について説明する。この一実施形態は、社団法人電子情報技術産業協会（JEITA:Japan Electronics and Information Technology industries Association）の規格として定められている現在の標準的なカメラの規格に準拠したものである。
【００６１】
すなわち、一実施形態では、ＤＣＦ（Design rule for Camera File System）のファイルシステムの規格に準拠し、Ｅｘｉｆ(Exchangeable image file format for digital still camera)のファイルフォーマットに準拠したものである。ＪＰＥＧ(Joint Photographic Coding Expert Group)ファイルフォーマットには、アプリケーションマーカセグメントという領域が定義がされており、アプリケーション固有の情報を格納できるようにされている。Ｅｘｉｆファイルフォーマットは、この領域にＥｘｉｆ独自の情報を格納している。
【００６２】
図６において、レンズ４２から入射された光は、絞り４３により光量が調節され、ＣＣＤ４４に供給される。レンズ４２、絞り４３はＣＰＵ４１のカメラ制御部４１ａにより制御され、レンズ位置や光量が調節される。
【００６３】
ＣＰＵ４１からの制御信号がＣＣＤドライバ４７に供給され、ＣＣＤドライバ４７からＣＣＤ４４に対し、駆動タイミングと駆動パルスが供給される。ＣＣＤ４４では、入射した光量に応じて光電変換が行われ、入射した光量に応じた電気信号が生成される。
【００６４】
ＣＣＤ４４で生成された電気信号は信号処理部４５に供給される。信号処理部４５では、例えば雑音低減処理、輝度補正処理、欠陥画素補正処理、色補正などの所定の信号処理がなされる。
【００６５】
信号処理部４５から出力された信号はＡ／Ｄ変換部４６でディジタル信号に変換され、一旦ＲＡＭ４９に書き込まれる。ＲＡＭ４９から読み出された画像データは、圧縮／伸張回路４８で例えばＪＰＥＧ(Joint Photographic Coding Expert Group)方式で圧縮され、圧縮された画像データはＳＤＲＡＭ(Synchronous Dynamic Random Access Memory)インターフェース（Ｉ／Ｆ）６２を介して、ＳＤＲＡＭ６３に記憶される。なお、Ａ／Ｄ変換部４６から出力されるディジタル信号は、ＲＡＭ４９を経由せずに圧縮／伸張回路４８に供給されるようにしても良い。
【００６６】
ＳＤＲＡＭ６３は、例えば８メガバイトの容量を有する。ＳＤＲＡＭ６３には、エラー訂正用エリアやトラック情報、ディスク情報、ＦＡＴ情報が保持されるエリアからなる。また、ＳＤＲＡＭ６３には画像データやオーディオデータのバッファ用エリアが設けられ、このバッファ用のエリアは、例えば８メガバイトのうち６メガバイト使用される。その中に、振動時の音飛び防止メモリ（ショック・プルーフ・メモリと称される）用のエリアも設けられる。
【００６７】
ＳＤＲＡＭ６３に記憶された画像データは、メディアドライブ部６１を介して光磁気ディスク６０（以下、適宜、ディスク６０と略す）に記録される。
【００６８】
次に、ディスク６０に記録された画像データの再生について説明する。ディスク６０に記録されている画像データは、メディアドライブ部６１により読み出され、ＳＤＲＡＭ６３に記憶される。
【００６９】
ＳＤＲＡＭ６３に記憶されたデータは、ＳＤＲＡＭＩ／Ｆ６２を介して圧縮／伸張部４８に供給される。圧縮／伸張部４８では、圧縮されている画像データの伸張処理がなされ、ＹＣ／ＲＧＢ変換部５１に供給される。ＹＣ／ＲＧＢ変換部５１において所定の画像処理がなされ、ＬＣＤ１６に再生画像が表示される。
【００７０】
図７はディスク６０に記録されている画像データのファイル構成の一例を示す。ディスク６０にはＤＣＩＭフォルダが形成され、下の階層にフォルダ名が「100abc」「101abc」「102abc」のフォルダが形成されている。フォルダ名の設定は、カメラ１の仕様により異なるが、例えば100、101、102のように連番が用いられる。
【００７１】
例えば、フォルダ「100abc」を選択すると、フォルダ内の画像ファイルが表示される。この一実施形態におけるフォルダ「100abc」には、９枚の画像ファイルが収納されている。画像ファイル名の設定もカメラ１の仕様により異なるが、例えば「101001．jpg」は10月10日の１枚目、圧縮形式を意味する。なお、ファイル名の番号の情報は、カメラ１に内蔵される不揮発性メモリ５０に記憶されており、番号は連番になるようにされる。
【００７２】
また、各ＪＰＥＧ形式の画像の縮小画像（サムネイル画像と称される）により構成される画像フォルダが作成されるようにしてもよい。
【００７３】
図６に戻って、オーディオデータ部について説明する。はじめに、オーディオデータの記録について説明する。例えば、カメラ１は図示しないパーソナルコンピュータとＵＳＢ６９を用いて接続される。上述したダウンロードボタン２６が押され、パーソナルコンピュータから所望のオーディオデータがダウンロードされる。
【００７４】
ダウンロードされたオーディオデータは、ＳＤＲＡＭＩ／Ｆ６２を介してオーディオエンコーダ／デコーダ部６５でエンコード処理がなされる。エンコードされたオーディオデータは、ＳＤＴＲＡＭＩ／Ｆ６２を介してＳＤＲＡＭ６３に記憶される。ＳＤＲＡＭ６３に記憶されたデータは順次読み出され、メディアドライブ部６１を介して、ディスク６０に記録される。
【００７５】
また、図示しないが、通信Ｉ／Ｆを設け、インターネットを通じてオーディオデータをダウンロードできるようにし、ディスク６０に記録してもよい。
【００７６】
次に、オーディオデータの再生について説明する。ディスク６０に記録されているオーディオデータは、メディアドライブ部で読み出され、ＳＤＲＡＭ６３に記憶される。ＳＤＲＡＭ６３から出力されるオーディオデータはＳＤＲＡＭＩ／Ｆ６２を介して、オーディオエンコーダ／デコーダ部６５に供給される。
【００７７】
また、ＣＰＵ４１のオーディオ制御部４１ｂからは、ＤＳＰ（Digital Signal Processor）Ｉ／Ｆ６４を介して、オーディオエンコーダ／デコーダ部６５に対し、デコード処理のコマンドが発せられる。
【００７８】
ＣＰＵ４１からのコマンドに基づき、オーディオエンコーダ／デコーダ部６５でデコード処理が行われる。デコードされたオーディオ信号はＤ／Ａ変換部６６でアナログ信号に変換され、増幅部６７で増幅された後、ヘッドフォン端子６８に供給される。オーディオエンコーダ／デコーダ部６５では、例えばＡＴＲＡＣ（Adaptive Transform Acoustic Coding）方式によるエンコード／デコードがなされる。
【００７９】
図８を参照して、メディアドライブ部６１の構成を説明する。メディアドライブ部６１は、現行のＭＤシステムのディスクと、次世代ＭＤ１のディスクと、次世代ＭＤ２のディスクとが装填されるターンテーブルを有しており。メディアドライブ部６１では、ターンテーブルに装填されたディスク６０をスピンドルモータ１０２によってＣＬＶ方式で回転駆動させる。このディスク６０に対しては記録／再生時に光学ヘッド９２によってレーザ光が照射される。
【００８０】
光学ヘッド９２は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド９２には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド９２に備えられる対物レンズとしては、例えば２軸機構によってディスク半径方向およびディスクに接離する方向に変位可能に保持されている。
【００８１】
また、ディスク６０を挟んで光学ヘッド９２と対向する位置には磁気ヘッド９１が配置されている。磁気ヘッド９１は記録データによって変調された磁界をディスク６０に印加する動作を行う。また、図示しないが光学ヘッド９２全体および磁気ヘッド９１をディスク半径方向に移動させためスレッドモータおよびスレッド機構が備えられている。
【００８２】
光学ヘッド９２および磁気ヘッド９１は、次世代ＭＤ２のディスクの場合には、パルス駆動磁界変調を行うことで、微少なマークを形成することができる。現行ＭＤのディスクや、次世代ＭＤ１のディスクの場合には、ＤＣ発光の磁界変調方式とされる。
【００８３】
このメディアドライブ部では、光学ヘッド９２、磁気ヘッド９１による記録再生ヘッド系、スピンドルモータ１０２によるディスク回転駆動系のほかに、記録処理系、再生処理系、サーボ系等が設けられる。
【００８４】
なお、ディスク６０としては、現行のＭＤ仕様のディスクと、次世代ＭＤ１の仕様のディスクと、次世代ＭＤ２の仕様のディスクとが装着される可能性がある。これらのディスクにより、線速度が異なっている。スピンドルモータ１０２は、これら線速度の異なる複数種類のディスクに対応する回転速度で回転させることが可能である。ターンテーブルに装填されたディスク６０は、現行のＭＤ仕様のディスクの線速度と、次世代ＭＤ１の仕様のディスクの線速度と、次世代ＭＤ２の仕様のディスクの線速度とに対応して回転される。
【００８５】
次世代ＭＤ１または次世代ＭＤ２であるかは、例えばリードインの情報から判断できる。すなわち、リードインにエンボスピットによるＰ−ＴＯＣ(Table Of Contents)が検出されれば、現行のＭＤまたは次世代ＭＤ１のディスクであると判別できる。リードインにＡＤＩＰ信号によるコントロール情報が検出され、エンボスピットによるＰ−ＴＯＣが検出されなければ、次世代ＭＤ２であると判断できる。また、このような判別法に限らず、例えばオントラックのときと、オフトラックのときとのトラッキングエラー信号の位相から判別することもできる。
【００８６】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【００８７】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【００８８】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【００８９】
光学ヘッド９２のディスク６０に対するレーザ照射によりその反射光として検出された情報（フォトディテクタによりレーザ反射光を検出して得られる光電流）は、ＲＦアンプ９４に供給される。
【００９０】
ＲＦアンプ９４では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク６０にトラックのウォブリングにより記録されているＡＤＩＰ情報）等を抽出する。
【００９１】
現行のＭＤシステムのディスクを再生するときには、ＲＦアンプで得られた再生ＲＦ信号は、ＥＦＭ復調部９７およびＡＣＩＲＣデコーダ９８で処理される。すなわち再生ＲＦ信号は、ＥＦＭ復調部９７で２値化されてＥＦＭ信号列とされた後、ＥＦＭ復調され、更にＡＣＩＲＣデコーダ９８で誤り訂正およびデインターリーブ処理される。すなわちこの時点でＡＴＲＡＣ圧縮データの状態となる。
【００９２】
そして現行のＭＤシステムのディスクの再生時には、セレクタ９９はＢ接点側が選択されており、その復調されたＡＴＲＡＣ圧縮データがディスク６０からの再生データとして出力される。
【００９３】
一方、次世代ＭＤ１または次世代ＭＤ２のディスクを再生するときには、ＲＦアンプ９４で得られた再生ＲＦ信号は、ＲＬＬ（１−７）ＰＰ復調部９５およびＲＳ−ＬＤＣデコーダ９６で処理される。すなわち再生ＲＦ信号は、ＲＬＬ（１−７）ＰＰ復調部９５において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ９６で誤り訂正およびデインターリーブ処理される。
【００９４】
そして次世代ＭＤ１または次世代ＭＤ２のディスクの再生時には、セレクタ９９はＡ接点側が選択されており、その復調されたデータがディスク６０からの再生データとして出力される。
【００９５】
ＲＦアンプ９４から出力されるトラッキングエラー信号ＴＥ、フォーカスエラー信号ＦＥはサーボ回路１００に供給され、グルーブ情報はＡＤＩＰ復調部１０３に供給される。
【００９６】
ＡＤＩＰ復調部１０３は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ１０５およびアドレスデコーダ１０６に供給される。
【００９７】
現行のＭＤシステムのディスクまたは次世代ＭＤ１のシステムのディスクでは、ＡＤＩＰセクタナンバが８ビットになっている。これに対して、次世代ＭＤ２のシステムのディスクでは、ＡＤＩＰセクタナンバが４ビットになっている。アドレスデコーダ１０５は、現行のＭＤまたは次世代ＭＤ１のＡＤＩＰアドレスをデコードする。アドレスデコーダ１０６は、次世代ＭＤ２のアドレスをデコードする。
【００９８】
アドレスデコーダ１０５および１０６でデコードされたＡＤＩＰアドレスは、ドライブコントローラ１０４に供給される。ドライブコントローラ１０４ではＡＤＩＰアドレスに基づいて、所要の制御処理を実行する。またグルーブ情報はスピンドルサーボ制御のためにサーボ回路１００に供給される。
【００９９】
サーボ回路１００は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【０１００】
またサーボ回路１００は、スピンドルエラー信号や、ＲＦアンプ９４から供給されたトラッキングエラー信号、フォーカスエラー信号、あるいはドライブコントローラ１０４からのトラックジャンプ指令、アクセス指令等に基づいて各種サーボ制御信号（トラッキング制御信号、フォーカス制御信号、スレッド制御信号、スピンドル制御信号等）を生成し、モータドライバ１０１に対して出力する。すなわち上記サーボエラー信号や指令に対して位相補償処理、ゲイン処理、目標値設定処理等の必要処理を行って各種サーボ制御信号を生成する。
【０１０１】
モータドライバ１０１では、サーボ回路１００から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ１０２を駆動するスピンドルモータ駆動信号となる。このようなサーボドライブ信号により、ディスク６０に対するフォーカス制御、トラッキング制御、およびスピンドルモータ１０２に対するＣＬＶまたはＣＡＶ制御が行われることになる。
【０１０２】
現行のＭＤシステムのディスクでオーディオデータを記録するときには、セレクタ８９がＢ接点に接続され、したがってＡＣＩＲＣエンコーダ８７およびＥＦＭ変調部８８が機能することになる。この場合、ＳＤＲＡＭ６３から供給される圧縮データはＡＣＩＲＣエンコーダ８７でインターリーブおよびエラー訂正コード付加が行われた後、ＥＦＭ変調部８８でＥＦＭ変調が行われる。
【０１０３】
そしてＥＦＭ変調データがセレクタ８９を介して磁気ヘッドドライバ９０に供給され、磁気ヘッド９１がディスク６０に対してＥＦＭ変調データに基づいた磁界印加を行うことでトラックの記録が行われる。
【０１０４】
次世代ＭＤ１または次世代ＭＤ２のディスクにデータを記録するときには、セレクタ８９がＡ接点に接続され、したがってＲＳ−ＬＤＣエンコーダ８５およびＲＬＬ（１−７）ＰＰ変調部８６が機能することになる。この場合、ＳＤＲＡＭ６３からの高密度データはＲＳ−ＬＤＣエンコーダ８５でインターリーブおよびＲＳ−ＬＤＣ方式のエラー訂正コード付加が行われた後、ＲＬＬ（１−７）ＰＰ変調部８６でＲＬＬ（１−７）変調が行われる。
【０１０５】
そしてＲＬＬ（１−７）符号列としての記録データがセレクタ８９を介して磁気ヘッドドライバ９０に供給され、磁気ヘッド９１がディスク６０に対して変調データに基づいた磁界印加を行うことでデータトラックの記録が行われる。
【０１０６】
レーザドライバ／ＡＰＣ９３は、上記のような再生時および記録時においてレーザダイオードにレーザ発光動作を実行させるが、いわゆるＡＰＣ（Automatic Lazer Power Control ）動作も行う。
【０１０７】
すなわち、図示していないが、光学ヘッド９２内にはレーザパワーモニタ用のディテクタが設けられ、そのモニタ信号がレーザドライバ／ＡＰＣ９３にフィードバックされる。レーザドライバ／ＡＰＣ９３は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１０８】
なお、レーザパワーとしては、再生レーザパワー、記録レーザパワーとしての値がドライブコントローラ１０４によって、レーザドライバ／ＡＰＣ９３内部のレジスタにセットされる。
【０１０９】
ドライブコントローラ１０４は、ＣＰＵ４１からの指示に基づいて、以上の各動作（アクセス、各種サーボ、データ書込、データ読出の各動作）が実行されるように制御を行う。
【０１１０】
なお、図８において一点鎖線で囲ったＡ部、Ｂ部は、例えば１チップの回路部として構成できる。
【０１１１】
次に、図６に戻り、カメラ１の制御を行う制御部について説明する。この一実施形態におけるカメラ１の制御部であるＣＰＵ４１には、カメラ制御部４１ａおよびオーディオ制御部４１ｂが備えられ、各モードに応じて切替が可能とされている。ＣＰＵ４１が実行する各プログラムは、ＲＯＭ(Reed Only Memory)５３に格納され、処理に応じて読み出され実行される。なお、この一実施形態では、ひとつのＣＰＵ４１を有する構成としたが、カメラ制御と、オーディオ制御とを別々のＣＰＵが行うようにしてもよい。
【０１１２】
次に操作部について説明する。図６における入力部７０はカメラ本体に備えられる入力装置を総称したものである。入力部７０の所定の入力装置が操作されると、Ａ／Ｄポート７１でディジタル信号へ変換され、ディジタル信号はＣＰＵ４１に供給される。ＣＰＵ４１は供給されたディジタル信号を解析し、操作に応じた機能を実現するプログラムを実行し、各部を制御する。
【０１１３】
カメラ１における入力部７０の操作は、ＬＣＤ１６の表示を用いたＧＵＩ(Graphical User Interface)により効率的に行うことができる。
【０１１４】
図９は、各種設定の行うＧＵＩの一例を示す。例えば図９Ａは、時刻設定用の表示画面１１０を示す。また、図９Ｂは、カメラ機能の各設定を行う表示画面１１１の一例である。ユーザは、集中コントローラ１７の各方向指示キー、決定ボタン３３などを用いて時刻の設定や、カメラ機能の設定を行うことができる。
【０１１５】
図１０は、オーディオモード時のＧＵＩの一例を示す。図１０Ａは、再生時の表示画面１２０の一例である。画面１２０には、例えば、再生ラップタイム、再生曲名、アーティスト名が表示される。また、例えばアーティストのアルバムジャケット写真１２３を表示させることもできる。
【０１１６】
図１０Ｂおよび図１０Ｃは、選曲時の表示画面１２１および１２２の一例である。ディスク６０に記録されているデータは、図１０Ｂに示すように、例えば、アルバム毎にグループ化（フォルダ化）されている。ユーザは上キー３４および下キー３５を操作し、所望のアルバム（この一実施形態では太枠線で囲まれたアルバムＢとする）を選択し、決定ボタン３３を押す。
【０１１７】
決定ボタン３３が押されると、画面は図１０Ｃに示す表示画面１２２に切り替わり、アルバムＢに収録されている曲名が表示される。ユーザはさらに上キー３４および下キー３５を操作し、所望の曲（この一実施形態では太枠線で囲まれた曲Ｅとする）を選択する。曲Ｅが選択された状態で、決定ボタン３３が押されると曲Ｅの再生が行われる。
【０１１８】
ユーザによる操作は、上キー３４、下キー３５の操作ではなくジョグダイヤル３８を回転させることで、画面を上下スクロールするようにしてもよい。また、画面１２１におけるグループは、アルバム毎のほか、アーティスト毎や、ポップ、演歌、ロック等のジャンル毎にしてもよい。
【０１１９】
図１１Ａおよび図１１Ｂはカメラモードの閲覧モード時の表示画面１３０の一例を示す。例えば複数の画像データが収納されているフォルダが選択されると、例えば、図１１Ａに示すような９枚のサムネイル画像が表示される。この９枚のサムネイル画像は、フォルダ内の画像データに対応するサムネイル画像である。
【０１２０】
ユーザは、集中コントローラ１７の各方向キーやジョグダイヤル３８を用いて所望の画像を選択する。例えば、太枠で囲まれた中央の画像を選択し、決定ボタン３３を押すと画面は図１１Ｂに示す表示画面１３１に切り替わり、選択された画像が拡大表示される。
【０１２１】
図６に戻り、他の入力装置について説明する。カメラ１のＡ／Ｄポート７１には、シリアルＩ／Ｆ７２を通じてカメラ１と接続されたリモートコントロール装置７３の操作が入力される。Ａ／Ｄポート７１は、カメラ１の入力部７０から供給される信号用のＡ／Ｄポートと、リモートコントロール装置７３から供給される信号のＡ／Ｄポートとが別個に設けられる。
【０１２２】
ここで、リモートコントロール装置７３の一例について説明する。この一実施形態におけるリモートコントロール装置７３の入力装置の操作は、カメラモード時では無効とされ、オーディオモード時では有効とされる。また、スリープ状態での操作により、自動的に電源がオンし、オーディオモードが起動するようにされる。
【０１２３】
図１２は、この一実施形態におけるリモートコントロール装置７３の外観を示す。リモートコントロール装置７３には、表示部であるＬＣＤ１４２が設けられる。また、入力装置として、オーディオ再生停止ボタン１４３、オーディオ再生ボタン１４５、オーディオ一時停止ボタン１４６、早戻しボタン１４４および早送りボタン１４７が設けられ、さらに、音量増加ボタン１４８と音量減少ボタン１４９が設けられる。
【０１２４】
図１３は、リモートコントロール装置７３の信号処理系の構成の一例を示す。入力部１５３は、リモートコントロール装置７３に設けられる入力装置を総称したものである。入力部１５３の入力操作は、カメラ１のＡ／Ｄポート７１へ伝達される。また、リモートコントロール装置７３には、ＬＣＤ１４２、ＣＰＵ１５１、ＲＡＭ１５４、ＲＯＭ１５５が設けられる。
【０１２５】
カメラ１から送られる信号はシリアルＩ／Ｆ１５６を通じてリモートコントロール装置７３へ供給される。ＣＰＵ１５１では、供給される信号に基づいて、ＲＯＭ１５５に格納されているプログラムを実行することで、所定の機能を実行する。例えば、カメラ１から供給されるオーディオ再生情報に基づいて、ＬＣＤ１４２に再生ラップタイムなどが表示される。
【０１２６】
また、図示しないが、リモートコントロール装置７３にジョグダイヤルを設け、曲の検索画面をＬＣＤ１４２に表示して、選曲できるようにしてもよい。
【０１２７】
次に、この発明の特徴である入力操作に対する処理について説明する。はじめに、図１４を用いて、ＣＰＵ４１による入力装置の操作の検出を説明する。
【０１２８】
図１４は、カメラ１に設けられた入力装置とリモートコントロール装置７３に設けられた入力装置の回路構成の一例を示す。なお、簡単のために、カメラ１の入力装置に関しては、一部の入力装置が表示されている。また、カメラ１のＣＰＵ４１には、各入力装置が操作されることにより検出される所定の電圧値がＡ／Ｄ変換によりディジタル信号へ変換されて供給される。
【０１２９】
ブロックＡ内のスライドスイッチ１６１はレンズカバー１２の操作に対応するスイッチである。すなわち、レンズカバー１２が開いた状態では、スライドスイッチ１６１は端子ａおよび端子ｂと接続される。また、レンズカバー１１が閉じている状態では、スライドスイッチ１６１は、端子ｂおよび端子ｃと接続される。
【０１３０】
スライドスイッチ１１が端子ａおよび端子ｂと接続された状態では、端子ａ側から一定の電圧Ｖｄｄが、端子ｂを介し、ＣＰＵ４１に供給される。また、スライドスイッチ１６１が端子ｂおよび端子ｃと接続された状態では、ＣＰＵ４１に供給される電圧がグランド（ＧＮＤ）レベルとなる。このように、スライドスイッチ１６１から供給される電圧値によりＣＰＵ４１は、レンズカバー１２が開いている状態か閉じている状態かを識別することができる。
【０１３１】
また、カメラ１に設けられるいずれかのボタンが押されると、一定の電圧（この一実施形態では、Ｖｄｄとする）が抵抗分圧されて、カメラ１のＡ／Ｄポート７１の一方に供給される。Ａ／Ｄポート７１では、供給される電圧値がディジタル信号へと変換され、変換されたディジタル信号はＣＰＵ４１に供給される。リモートコントロール装置７３に設けられるボタンが押された場合には、Ａ／Ｄポート７１の他方に所定の電圧値が供給され、電圧値がディジタル信号へと変換されてＣＰＵ４１に供給される。
【０１３２】
このように、ＣＰＵ４１では、ディジタル信号が入力されたポートによりカメラ１の入力装置およびリモートコントロール装置７３の入力装置のいずれの入力装置が操作されたかを識別することが可能となる。
【０１３３】
また、ＣＰＵ４１では、ディジタル信号へ変換された電圧値によりどのボタンが押されたのかを識別することも可能となる。
【０１３４】
図１５は、カメラモード時にリモートコントロール装置７３の入力装置が操作された場合の処理の流れを示す。
【０１３５】
ステップＳ１では、モードがカメラモードであるか否かが判別される。カメラモードであるか否かはレンズカバー１２の位置やカメラボタン１５が押されたか否かをＣＰＵ４１が判別することで行われる。
【０１３６】
カメラモードである場合は、処理がステップＳ２に進む。ＣＰＵ４１は、シリアルＩ／Ｆ７２を介してリモートコントロール装置７３にカメラモードである旨の信号を供給する。リモートコントロール装置７３では、ＣＰＵ１５１でカメラ１からの信号を解析する。ＣＰＵ１５１は、ＬＣＤ１４２にカメラモードであることを示す「カメラ」を表示するように制御する。
【０１３７】
次に、処理がステップＳ３に進み、カメラモード時にリモートコントロール装置７３に何らかの入力操作がなされたか否かが判別される。リモートコントロール装置７３の操作は上述したようにして、カメラ１のＣＰＵ４１により検出される。ＣＰＵ４１では、カメラモードであるからリモートコントロール装置７３の入力操作は無効であること示す信号をシリアルＩ／Ｆ７２を介してリモートコントロール装置７３に供給する。
【０１３８】
リモートコントロール装置７３では、ＣＰＵ１５１で供給された信号が解析される。ＣＰＵ１５１は、現在はカメラモードであることをユーザに伝えるため、ＬＣＤ１４２に表示されている「カメラ」表示を点滅させ、ユーザに対しカメラモードであることを通知する（ステップＳ４）。
【０１３９】
続いて、処理がステップＳ５に進み、オーディオモードとカメラ機能の切替があったか否かが判別される。切替がなされない場合は、ステップＳ３に戻り、リモートコントロール装置７３の入力装置が操作されたか否かが判別される。オーディオモードへの切替がなされた場合は、動作はステップＳ１に戻る。
【０１４０】
ステップＳ１でオーディオモードと判別されると、処理はステップＳ６に進む。ステップＳ６でリモートコントロール装置７３の入力装置が押されると、動作はステップＳ７に進み、オーディオ操作ボタンとして動作し、ユーザの所望する動作が実行される。
【０１４１】
また、ステップＳ８では、オーディオモードとカメラモードの切替があったか否かが判別され、切替があった場合が動作はステップＳ１に戻り、切替がなかった場合は、ステップＳ６に進み、処理を繰り返す。
【０１４２】
この発明は、この発明の要旨を逸脱しない範囲内でさまざまな変形や応用が可能であり、上述した一実施形態に限定されることはない。例えば、この一実施形態では、データの記録媒体として光磁気ディスクを用いたが、その他にもＨＤＤ(Hard Disk Drive)、半導体メモリなどを用いてもよい。
【０１４３】
また、この一実施形態では、「カメラ」表示を点滅させることでユーザに対してカメラモードである旨の通知を行ったが、その他にも「この操作は禁止されています」などのように、入力装置の操作が無効であることを通知する表示内容としてもよい。さらに、表示による通知だけでなく、振動（バイブレータ）による通知や音による通知を用いてもよい。
【０１４４】
上述した一実施形態では、カメラモードでのリモートコントロール装置７３の入力装置の操作は無効であるとして説明したが、その他にも特定のモード時にのみ使用可能とされる入力装置に対してもこの発明を適用できる。
【図面の簡単な説明】
【０１４５】
【図１】この発明の一実施形態におけるカメラの前面を示す図である。
【図２】この発明の一実施形態におけるカメラの背面、上面、底面、右側面、左側面を示す図である。
【図３】この発明の一実施形態における集中コントローラを示す図である。
【図４】各キーに割り当てられる機能の一例を示す図である。
【図５】この発明の一実施形態におけるモードの切替を示す略線図である。
【図６】この発明の一実施形態におけるカメラ１の信号処理系の構成を示すブロック図である。
【図７】ディスクに記録されている画像データのファイル構成の一例を示す図である。
【図８】この発明の一実施形態におけるメディアドライブ部の構成を示すブロック図である。
【図９】この発明の一実施形態におけるＧＵＩの一例を示す略線図である。
【図１０】この発明の一実施形態におけるオーディオモード時のＧＵＩの一例を示す略線図である。
【図１１】この発明の一実施形態におけるカメラモード時のＧＵＩの一例を示す略線図である。
【図１２】この発明の一実施形態におけるリモートコントロール装置の外観を示す略線図である。
【図１３】この発明の一実施形態におけるリモートコントロール装置の構成を示すブロック図である。
【図１４】この発明の一実施形態における入力装置の回路構成を示す回路図である。
【図１５】この発明の一実施形態における入力装置の操作に対する処理の流れを示すフローチャートである。
【符号の説明】
【０１４６】
１              カメラ
１１            撮影レンズ
１２            レンズカバー
１６、１４２    ＬＣＤ
４１            ＣＰＵ
６０            ディスク
６３            ＳＤＲＡＭ
７３            リモートコントロール装置
【図１】
2006135627.tif 000003
【図２】
2006135627.tif 000004
【図３】
2006135627.tif 000005
【図４】
2006135627.tif 000006
【図５】
2006135627.tif 000007
【図６】
2006135627.tif 000008
【図７】
2006135627.tif 000009
【図８】
2006135627.tif 000010
【図９】
2006135627.tif 000011
【図１０】
2006135627.tif 000012
【図１１】
2006135627.tif 000013
【図１２】
2006135627.tif 000014
【図１３】
2006135627.tif 000015
【図１４】
2006135627.tif 000016
【図１５】
2006135627.tif 000017